(57)【要約】【課題】固定用ビスの初期位置の決定が容易で、かつ、ビス固定を作業性よく行える軒樋吊り具を提供する。【解決手段】アーム部２と取付け座１とからなる軒樋の吊り具であって、該取付け座１はアーム部２を中心に左右に張り出す取付け部１１、１２からなるとともに、上記左右取付け部１１、１２のそれぞれには径の大きい屋外側の孔部３１と径の小さな建物側の孔部とが連設された挿通孔３、３が穿たれ、建物側に位置する径の小さな孔は固定用ビスの仮固定部３２とされた軒樋吊り具Ａ。【選択図】図１
2006200315.tif 000002
【特許請求の範囲】
【請求項１】
アーム部と取付け座とからなる軒樋の吊り具であって、該取付け座はアーム部を中心に左右に張り出す取付け部からなるとともに、上記左右取付け部のそれぞれには径の大きい屋外側の孔部と径の小さな建物側の孔部とが連設された挿通孔が穿たれ、建物側に位置する径の小さな孔は固定用ビスの仮固定部とされた軒樋吊り具。
【請求項２】
上記アーム部と取付け座とは合成樹脂から一体的に形成され、上記仮固定部は固定用ビスを弾性的に保持する請求項１に記載の軒樋吊り具。
【請求項３】
上記固定用ビスがタッピングビスである請求項１に記載の軒樋吊り具。
【発明の詳細な説明】
【技術分野】
【０００１】
本発明は、軒樋の吊り具に関する。さらに詳しくは、破風板等、建物外面に固定され、軒樋を保持する軒樋の吊り具に関する。
【背景技術】
【０００２】
軒樋を保持するアーム部と取付け座とが一体的に形成されてなる軒樋吊り具は、上記取付け座をビス等の固定手段を用いて建物の外面、例えば破風板に固定して取付けられ、その構造に関しては種々の技術が知られている。
【特許文献１】特開２００４−２５０９３０号公報（第１−５頁、第１、４図）
【発明の開示】
【発明が解決しようとする課題】
【０００３】
特許文献１における軒樋吊り具においては、上記特許文献１の第４図から明らかなように、取付け座は、正面から見てアーム部を中心に左右両側に張り出すように設けられ、この張り出した左右取付け部には固定用ビスの径よりもやや大きな径のビス孔が設けられている。すなわち、固定用ビスは、そのネジ部よりも大きな径のビス孔に緩挿されて破風板に螺入され、ビスヘッドが上記取付け座を締め付けるようにされている。しかしながら、上記技術においては、ビス孔に緩く挿入されたビスを捻じ込むため、初期位置が決まりにくく、ビスを落としたり、また、捻じ込んでもビスが上下左右に踊るため、破風板への螺入を行い難いという問題がある。本発明は、このような問題を解決するためになされたものであって、固定用ビスの初期位置の決定が容易で、かつ、ビス固定を作業性よく行える軒樋吊り具を提供することをその課題とする。
【課題を解決するための手段】
【０００４】
上記課題を解決するために、本発明においては、つぎのような技術的手段を講じている。すなわち、本発明によれば、アーム部と取付け座とからなる軒樋の吊り具であって、該取付け座はアーム部を中心に左右に張り出す取付け部からなるとともに、上記左右取付け部のそれぞれには径の大きい屋外側の孔部３１と径の小さな建物側の孔部とが連設された挿通孔が穿たれ、建物側に位置する径の小さな孔は固定用ビスの仮固定部とされた軒樋吊り具が提供される。
【０００５】
上記アーム部と取付け座とは合成樹脂から一体的に形成され、樹脂弾性を有する仮固定部が固定用ビスを弾性的に保持することが好ましい。また、固定用ビスは、自らネジを切って螺入するタッピングビスを用いることが好ましい。
【発明の効果】
【０００６】
請求項１に記載の発明は上記のとおりであり、取付け座を構成する左右取付け部には径の異なる２つの孔が連設された挿通孔が穿たれ、建物側に位置する径の小さな孔は固定用ビスの仮固定部とされているため、この仮固定部に固定用ビスの先端を螺入することにより、固定用ビスは保持され、仮固定される。その結果、固定用ビスを落とすことなく初期位置の決定が可能となり、捻じ込む際にも上下左右に踊ることなく、容易に破風板への螺入を行うことができる。
【０００７】
上記アーム部と取付け座とは合成樹脂から一体的に形成されているため、上記仮固定部は固定用ビスを弾性的に保持し仮固定することが可能であり、また、固定用ビスの螺進とともに孔の径が広がり、あるいは潰れて破風板への螺入を容易に行うことができる。また、固定用ビスをタッピングビスとすることにより、通常、木質系材料からなる破風板へ自らネジを切って螺入し、軒樋吊り具を破風板にしっかりと取り付けることができる。
【発明を実施するための最良の形態】
【０００８】
以下、本発明の実施形態について図面を参照して、詳細に説明する。図１は、本発明にかかる軒樋吊り具Ａを示す側面図である。図１からよくわかるように、上記軒樋吊り具Ａは、アーム部２と取付け座１とからなり、この取付け座１は後記するように、アーム部２を中心に左右に張り出した取付け部から構成されている。また、上記左右取付け部には径の異なる２つの孔が軸方向に連設された挿通孔３が各々穿たれている。
【０００９】
図２は、図１に示すＸ−Ｘ線に沿う縦断面図であり、図１に示された挿通孔３を拡大して示す。図２から明らかなように、挿通孔３は径の大きい屋外側の孔部３１と径の小さな建物側の孔部とが連設して構成され、この建物側の孔部が固定用ビスの仮固定部３２とされている。すなわち、木ネジや釘等の固定用ビス４としてタッピングビスを用いた場合、その先端部４１を上記固定用ビスの仮固定部３２に螺入することにより、タッピングビスである固定用ビス４はしっかりと保持される。このように、タッピングビスである固定用ビス４の先端部４１を仮固定することにより、落とすことなくタッピングビスである固定用ビス４の初期位置を決定できるとともに、捻じ込む際にも上下左右に踊ることなく、容易に破風板へ螺入することができる。
【００１０】
図３は、このようにして軒樋吊り具Ａをタッピングビスである固定用ビス４により破風板５に固定した状態を示す側面図である。図４は、取付け座１の左取付け部１１と右取付け部１２とに穿たれ挿通孔３に各々タッピングビス４である固定用ビスを螺入し、破風板５に固定した本発明にかかる軒樋吊り具Ａを示す正面図である。図３、図４から、本発明を実施することにより、タッピングビスである固定用ビス４の初期位置の決定を容易に行うことができるとともに、ビス固定を作業性よく行える軒樋吊り具を提供できることがわかる。なお、図４は、挿通孔３を横一列に設けた場合が示されているが、さらに一列設けて２段としてもよく、本発明の特許請求の範囲を逸脱しない限り、設計変更自在である。
【図面の簡単な説明】
【００１１】
【図１】本発明にかかる軒樋吊り具を示す側面図である。
【図２】図１に示すＸ−Ｘ線に沿う縦断面図である。
【図３】本発明にかかる軒樋吊り具を破風板にタッピングビスで固定した状態を示す側面図である。
【図４】本発明にかかる軒樋吊り具を破風板にタッピングビスで固定した状態を示す正面図である。
【符号の説明】
【００１２】
Ａ          本発明にかかる軒樋吊り具
１          取付け座
１１        左取付け部
１２        右取付け部
２          アーム部
３          挿通孔
３１        屋外側孔部
３２        固定用ビスの仮固定部
４          固定用ビス（タッピングビス）
４１        先端部
５          破風板
【図１】
2006200315.tif 000003
【図２】
2006200315.tif 000004
【図３】
2006200315.tif 000005
【図４】
2006200315.tif 000006